【手続補正書】
【提出日】平成20年3月13日(2008.3.13)
【手続補正１】
【補正対象書類名】明細書
【補正対象項目名】発明の名称
【補正方法】変更
【補正の内容】
【発明の名称】地紋画像生成装置、地紋画像生成方法、付加情報読取り装置、付加情報読取り方法、画像処理装置、画像処理方法
【手続補正２】
【補正対象書類名】明細書
【補正対象項目名】特許請求の範囲
【補正方法】変更
【補正の内容】
【特許請求の範囲】
【請求項１】
複写されると消える小ドットのサイズと複写されても消えない大ドットのサイズとの中間のサイズを有する中ドットと、前記小ドットと、を潜像領域に配置し、前記大ドットを背景領域に配置することで地紋画像を生成する地紋画像生成手段を有することを特徴とする地紋画像生成装置。
【請求項２】
前記地紋画像生成手段は、
前記中ドットと前記小ドットとの組み合わせを用いて前記潜像領域に付加情報を付加することを特徴とする請求項１に記載の地紋画像生成装置。
【請求項３】
前記中ドットを右上及び左下に配置し、前記小ドットを左上及び右下に配置することにより、第１のビットを付加し、
前記中ドットを左上及び右下に配置し、前記小ドットを右上及び左下に配置することにより、第２のビットを付加していることを特徴とする請求項２に記載の地紋画像生成装置。
【請求項４】
請求項３に記載の地紋画像生成装置により生成された地紋画像から、付加情報を読取る付加情報読取り装置であって、
前記地紋画像のうちの左上及び右下の濃度の合計値と、右上及び左下の濃度の合計値とを比較する比較手段と、
前記比較手段での比較結果に基づき前記付加情報を読取る手段と
を備えることを特徴とする付加情報読取り装置。
【請求項５】
領域指定情報で指定される第１の領域に第１のドットサイズのドット群を有し、前記領域指定情報で指定される前記第２の領域に前記第１のドットサイズより小さな第２のドットサイズのドット群を有する地紋画像に、前記領域指定情報とは異なる付加情報を付加する画像処理装置であって、
前記地紋画像における前記第１の領域内のドットを前記付加情報に応じた方向に移動させ、かつ、前記地紋画像における前記第２の領域内のドットを前記付加情報に応じた方向に移動させる移動手段を備え、
前記移動手段により前記第１の領域内のドットを移動させることにより、複写処理を制御するための付加情報を付加し、
前記移動手段により前記第２の領域内のドットを移動させることにより、原本であることを示す付加情報を付加することを特徴とする画像処理装置。
【請求項６】
複写されると消える小ドットのサイズと複写されても消えない大ドットのサイズとの中間のサイズを有する中ドットと、前記小ドットと、を潜像領域に配置し、前記大ドットを背景領域に配置することで地紋画像を生成する地紋画像生成工程を有することを特徴とする地紋画像生成方法。
【請求項７】
前記地紋画像生成工程では、
前記中ドットと前記小ドットとの組み合わせを用いて前記潜像領域に付加情報を付加することを特徴とする請求項６に記載の地紋画像生成方法。
【請求項８】
前記中ドットを右上及び左下に配置し、前記小ドットを左上及び右下に配置することにより、第１のビットを付加し、
前記中ドットを左上及び右下に配置し、前記小ドットを右上及び左下に配置することにより、第２のビットを付加していることを特徴とする請求項７に記載の地紋画像生成方法。
【請求項９】
請求項８に記載の地紋画像生成方法により生成された地紋画像から、付加情報を読取る付加情報読取り方法であって、
前記地紋画像のうちの左上及び右下の濃度の合計値と、右上及び左下の濃度の合計値とを比較する比較工程と、
前記比較方法での比較結果に基づき前記付加情報を読取る工程と
を備えることを特徴とする付加情報読取り方法。
【請求項１０】
領域指定情報で指定される第１の領域に第１のドットサイズのドット群を有し、前記領域指定情報で指定される前記第２の領域に前記第１のドットサイズより小さな第２のドットサイズのドット群を有する地紋画像に、前記領域指定情報とは異なる付加情報を付加する画像処理方法であって、
前記地紋画像における前記第１の領域内のドットを前記付加情報に応じた方向に移動させ、かつ、前記地紋画像における前記第２の領域内のドットを前記付加情報に応じた方向に移動させる移動工程を備え、
前記移動工程により前記第１の領域内のドットを移動させることにより、複写処理を制御するための付加情報を付加し、
前記移動工程により前記第２の領域内のドットを移動させることにより、原本であることを示す付加情報を付加することを特徴とする画像処理方法。
【請求項１１】
コンピュータに請求項６乃至８の何れか１項に記載の地紋画像生成方法を実行させるためのコンピュータプログラム。
【請求項１２】
コンピュータに請求項９に記載の付加情報読取り方法を実行させるためのコンピュータプログラム。
【請求項１３】
コンピュータに請求項１０に記載の画像処理方法を実行させるためのコンピュータプログラム。
【手続補正３】
【補正対象書類名】明細書
【補正対象項目名】０００８
【補正方法】変更
【補正の内容】
【０００８】
【課題を解決するための手段】
本発明の目的を達成するために、例えば、本発明の地紋画像生成装置は以下の構成を備える。
【手続補正４】
【補正対象書類名】明細書
【補正対象項目名】０００９
【補正方法】変更
【補正の内容】
【０００９】
即ち、複写されると消える小ドットのサイズと複写されても消えない大ドットのサイズとの中間のサイズを有する中ドットと、前記小ドットと、を潜像領域に配置し、前記大ドットを背景領域に配置することで地紋画像を生成する地紋画像生成手段を有することを特徴とする。
本発明の目的を達成するために、例えば、本発明の付加情報読取り装置は以下の構成を備える。
即ち、上記地紋画像生成装置により生成された地紋画像から、付加情報を読取る付加情報読取り装置であって、
前記地紋画像のうちの左上及び右下の濃度の合計値と、右上及び左下の濃度の合計値とを比較する比較手段と、
前記比較手段での比較結果に基づき前記付加情報を読取る手段と
を備えることを特徴とする。
本発明の目的を達成するために、例えば、本発明の画像処理装置は以下の構成を備える。
即ち、領域指定情報で指定される第１の領域に第１のドットサイズのドット群を有し、前記領域指定情報で指定される前記第２の領域に前記第１のドットサイズより小さな第２のドットサイズのドット群を有する地紋画像に、前記領域指定情報とは異なる付加情報を付加する画像処理装置であって、
前記地紋画像における前記第１の領域内のドットを前記付加情報に応じた方向に移動させ、かつ、前記地紋画像における前記第２の領域内のドットを前記付加情報に応じた方向に移動させる移動手段を備え、
前記移動手段により前記第１の領域内のドットを移動させることにより、複写処理を制御するための付加情報を付加し、
前記移動手段により前記第２の領域内のドットを移動させることにより、原本であることを示す付加情報を付加することを特徴とする。
本発明の目的を達成するために、例えば、本発明の地紋画像生成方法は以下の構成を備える。
即ち、複写されると消える小ドットのサイズと複写されても消えない大ドットのサイズとの中間のサイズを有する中ドットと、前記小ドットと、を潜像領域に配置し、前記大ドットを背景領域に配置することで地紋画像を生成する地紋画像生成工程を有することを特徴とする。
本発明の目的を達成するために、例えば、本発明の付加情報読取り方法は以下の構成を備える。
即ち、上記地紋画像生成方法により生成された地紋画像から、付加情報を読取る付加情報読取り方法であって、
前記地紋画像のうちの左上及び右下の濃度の合計値と、右上及び左下の濃度の合計値とを比較する比較工程と、
前記比較方法での比較結果に基づき前記付加情報を読取る工程と
を備えることを特徴とする。
本発明の目的を達成するために、例えば、本発明の画像処理方法は以下の構成を備える。
即ち、領域指定情報で指定される第１の領域に第１のドットサイズのドット群を有し、前記領域指定情報で指定される前記第２の領域に前記第１のドットサイズより小さな第２のドットサイズのドット群を有する地紋画像に、前記領域指定情報とは異なる付加情報を付加する画像処理方法であって、
前記地紋画像における前記第１の領域内のドットを前記付加情報に応じた方向に移動させ、かつ、前記地紋画像における前記第２の領域内のドットを前記付加情報に応じた方向に移動させる移動工程を備え、
前記移動工程により前記第１の領域内のドットを移動させることにより、複写処理を制御するための付加情報を付加し、
前記移動工程により前記第２の領域内のドットを移動させることにより、原本であることを示す付加情報を付加することを特徴とする。